(57)【要約】【課題】  伸縮ベルトがゴム製であって不透明であることから、ヘルメットに記載されている文字や模様等が見えなくなること。【解決手段】  このヘルメット用ベルト１００は、全体が透明の伸縮ベルト１から構成される。この伸縮ベルト１は環状に形成されており、ヘルメット装着時における前面が機器装着部位となり、ランプ本体２がヘッドマウント３を介して取り付けられる。伸縮ベルト１の素材には透明アクリルエラストマー樹脂を用いる。この伸縮ベルト１は、経時的な黄変が極めて少ないことから長期間の使用においても無色透明を保つことができ、光透過率についても経時的な低下が少ない。このため、ヘルメットＨのシェルの外面に設けた文字、模様Ｍを視認できる。【選択図】  図１
2020117839.tif 000002
【特許請求の範囲】
【請求項１】
環状に構成され且つ一部または全部が透明な樹脂からなり、全体として伸縮性を有すると共に、一部に所望の機器を取り付ける機器装着部位を設けた、ヘルメットのシェル外面に装着することを特徴とするヘルメット用ベルト。
【発明の詳細な説明】
【技術分野】
【０００１】
本発明は、工事等に用いるヘルメットにライト等を装着する際に用いるヘルメット用ベルトに関するものである。
【背景技術】
【０００２】
従来から、特許文献１に記載されているようなヘッドランプが知られている。このヘッドランプは、ヘルメットのシェル外周縁に装着されるものである。ランプ本体に揺動可能に設けた板状のヘッドマウントの左右両側には、ベルト取り付け部が設けられる。このベルト取り付け部には、伸縮ベルトが取り付けられる。伸縮ベルトは環状であってゴムにより形成される。
【０００３】
この伸縮ベルトをヘルメットのシェル外周縁に装着することで、ゴム面がヘルメットの表面に密着して固定されると共に、ランプ本体がヘルメットに対して所定位置で固定される。
【先行技術文献】
【特許文献】
【０００４】
【特許文献１】実用新案登録第３１６９６５０号公報
【発明の概要】
【発明が解決しようとする課題】
【０００５】
しかしながら、上記従来のヘッドランプでは、伸縮ベルトがゴム製であって不透明であることから、ヘルメットに記載されている文字や模様等が見えなくなるという問題点があった。また、ヘルメットのシェル外周に反射材が貼着されているような場合も、伸縮ベルトにより隠れてしまいその機能を発揮できないという問題点があった。本発明は、係る問題点を解決するためになされたものである。
【課題を解決するための手段】
【０００６】
本発明に係るヘルメット用ベルトは、環状に構成され且つ一部または全部が透明な樹脂からなり、全体として伸縮性を有すると共に、一部に所望の機器を取り付ける機器装着部位を設けた、ヘルメットのシェル外面に装着することを特徴とする。前記樹脂は、アクリルエラストマー樹脂とするのが好ましい。また、前記樹脂の内側面を鏡面加工するのが好ましい。
【図面の簡単な説明】
【０００７】
【図１】本発明の実施の形態１に係るヘルメット用ベルトを示す斜視図である。
【図２】ヘルメット用ベルトを装着するヘルメットの例を示す斜視図である。
【図３】ヘルメット用ベルトをヘルメットに装着した状態を示す斜視図である。
【図４】伸縮ベルトとヘルメットのシェル外面との関係を示す説明図である。
【図５】変形例に係るヘルメット用ベルトを示す斜視図である。
【図６】本発明の実施の形態２に係るヘルメット用ベルトを示す斜視図である。
【図７】固定具の拡大図である。
【図８】固定具によりヘルメット用ベルトをヘルメットに固定した状態を示す説明図である。
【発明を実施するための形態】
【０００８】
（実施の形態１）
図１は、本発明の実施の形態１に係るヘルメット用ベルトを示す斜視図である。図２は、ヘルメット用ベルトを装着するヘルメットの例を示す斜視図である。図３は、ヘルメット用ベルトをヘルメットに装着した状態を示す斜視図である。同図では、当該ヘルメット用ベルト１００をヘッドライトに応用した状態のものを示す。なお、図１では、ヘルメット用ベルト１００を上下逆に載置した状態を示す。このヘルメット用ベルト１００は、全体が透明の伸縮ベルト１から構成される。この伸縮ベルト１は環状に形成されており、ヘルメット装着時における前面が機器装着部位となり、ランプ本体２がヘッドマウント３を介して取り付けられる。ヘッドマウント３は略板状体でありその左右の両側にフック３ａが設けられ、このフック３ａに対して伸縮ベルト１を通す構成である。
【０００９】
ヘルメット装着時における後面も機器装着部位となり、当該後面には電源ボックス４がヘッドマウント５を介して取り付けられる。ヘッドマウント５は略板状体でありその左右の両側にフック５ａが設けられ、このフック５ａに対して伸縮ベルト１を通して固定する。ランプ本体２と電源ボックス４との間は電源コード（図示省略）で接続される。伸縮ベルト１は、カン７により端部どうしが接続されて全体として環状となる。カン７により伸縮ベルト１の全体の長さを調整できる。
【００１０】
伸縮ベルト１の一部には、ヘルメットＨに対して固定するための固定具６が設けられる。図８に係る固定具６の拡大図を示す。この固定具６は、伸縮ベルト１に対して幅方向に取り付けられ且つその下端がヘルメットＨの鍔Ｈａに係止するような爪状６ａに形成される。この固定具６は、伸縮ベルト１がヘルメットから外れないように固定するためのものである。図7に、前記固定具６により伸縮ベルト１をヘルメットＨの鍔Ｈａに固定した状態を示す。
【００１１】
上記伸縮ベルト１の素材は、透明アクリルエラストマー樹脂を用いるのが好ましい。具体的には、株式会社クラレ製「パラペットＳＡ」を用いるのが良い。同社によれば、本素材は、サンシャインウェザーメーターにより２０００時間の紫外線暴露による評価において＋２程度のΔｂ値となっている。これは、比較例である軟質塩化ビニール（ＰＶＣ）の＋１２のΔｂ値よりも相当低い値であり、２０００時間の紫外線暴露環境での使用であっても黄変し難いものである。なお、フィルムの色調を示す数値であるＬ，ａ，ｂ値について、Ｌ値は明度(かがやき)を示し、a値は＋で赤味を、−で緑味を示す。ｂ値は＋で黄色味を、−で青味を示すものである。
【００１２】
この伸縮ベルト１は、経時的な黄変が極めて少ないことから長期間の使用においても無色透明を保つことができる。また、光透過率についても経時的な低下が少ない。このため、ヘルメットＨのシェルの外面に設けた文字、模様Ｍを視認できる。また、シェルの外面に設けた反射材Ｍの機能を損なうことがない。即ち、伸縮ベルト１を光が透過し、ヘルメットＨのシェル外面の反射材Ｍで反射し、反射光が伸縮ベルト１を透過して外部に戻る。これにより、夜間の視認性が確保されるので安全性が損なわれない。
【００１３】
図４に示すように、伸縮ベルト１の内側、即ちヘルメットＨのシェル外面に接触する内側面１ｂは、鏡面加工となる。鏡面加工は、表面粗さＲａ＝０．０３以上０．０５以下とするのが好ましい。このため、ヘッドライトをヘルメットＨに装着した場合、内側面１ｂがシェル外面に吸着する。この結果、伸縮ベルト１がヘルメットＨに固定されるので、ヘッドライトが使用中に外れることがない。
【００１４】
また、伸縮ベルト１の外側面１ａには、微細凹凸を多数形成したシボ加工が施される。このシボ加工は、伸縮ベルト１の透明度を損なわい範囲で設定する。シボ加工の程度は、金型加工に微細粒のビーズブラストを使用した細目とするのが好ましい。シボ加工を行うことで伸縮ベルト１の表面に埃やごみが付着するのを防止できる。このため、文字や模様の視認性が低下しない。また、反射材による反射光が減衰し難い。
【００１５】
異なる観点では、伸縮ベルト１の外側面１ａと内側面１ｂとを異なる表面処理としたことに特徴があり、特に内側面１ｂの表面粗さを外側面１ａの表面粗さより小さくしたものである。なお、伸縮ベルト１の幅は、１５ｍｍ以上４５ｍｍ以下が好ましい。厚さは、１ｍｍ以上３ｍｍ以下が好ましい。
【００１６】
また、図５に示すように、伸縮ベルト１の一部に通常の光が不透過性の伸縮性素材からなるゴムバンド２０を用いても良い。換言すれば、透明部分２１は伸縮ベルト１の一部である。同図の例では、ヘルメット装着時における前面にゴムバンド２０を設け、当該部分にランプ本体２がヘッドマウント３を介して取り付けられる。なお、電源ボックス４はランプ本体２に一体化したものとする。また、伸縮ベルト１の長さ調整のカンは省略した構成である。
【００１７】
また、伸縮ベルト１は、全体で伸縮すればよいので、ゴムバンド２０が伸縮するのであれば透明部分２１の樹脂は伸縮しない又は伸縮し難いものであっても良い。この場合でも、伸縮しなくても黄変がないものであるのが好ましい。
【００１８】
このようにすれば、ヘルメットＨのシェル外面の左右側に表示される文字や図形Ｍの視認性が阻害されず、当該左右側の反射材Ｍの機能が損なわれない。また、伸縮ベルト１全体での伸縮性が高くなることから、各種サイズのヘルメットＨへの装着性が高まる。なお、図５では、伸縮ベルト１の一部にゴムバンドを設けたが、複数の部位に設けても良い（図示省略）。この場合でも、伸縮ベルト１全体での伸縮性が高くなるため各種サイズのヘルメットＨへの装着性が高まる。
【００１９】
更に、図示しないが、伸縮ベルト１の幅や厚みを大きくすることでシェル外面に緩衝機能を持たせることができる。即ち、伸縮ベルト１は、上記透明アクリルエラストマー樹脂から構成されているので、ヘルメットＨに落下物等が当たっても当該伸縮ベルト１が緩衝材となってヘルメットＨのシェル外面へのダメージを低減できる。このため、伸縮ベルト１によってヘルメットＨの安全性を高めることができる。特に、通常のゴムが織り込まれた伸縮ベルトの場合と比べて、高い緩衝性能を有するものとなる。この透明アクリルエラストマー樹脂の場合は、光透過率が高いために厚さを大きくできる。緩衝効果を高めるため、伸縮ベルト１の厚さを３ｍｍ以上５ｍｍ以下に設定することも可能である。
【００２０】
（実施の形態２）
図６は、本発明の実施の形態２に係るヘルメット用ベルトを示す斜視図である。同図では、当該ヘルメット用ベルト２００をヘッドライトに応用した状態のものを示す。このヘルメット用ベルト２００は、実施の形態１の図５に示した構成と略同一であるが、ヘルメットＨのシェル外面の頭部を通るように、前面から後面に渡り頭部ベルト２０１を追加した点が異なる。その他の構成は図５に示した構成と同様であり同一構成要素には同一符号を付して説明を省略する。
【００２１】
頭部ベルト２０１の全面側先端は、ランプ本体１のヘッドマウント３の上側に取り付けられる。係る構成であれば、ヘルメットＨに対してヘッドライトを装着する場合、重量のあるランプ本体１であってもランプ本体１が下に傾くことがなく、正面を向いた姿勢を保持できる。更に、この頭部ベルト２０１は、上記伸縮ベルト１と同じ素材により構成されているため、ヘルメットＨのシェル外面に表示される文字や図形Ｍの視認性が阻害されず、反射材Ｍの機能が損なわれない。更に、シェル外面に対する落下物等に対して緩衝機能を備えたものとなる。
【００２２】
なお、本発明の伸縮ベルト１は、ヘッドライト以外にも用いることができる。例えば、小型カメラの装着や無線機のヘルメットＨへの固定に使用できる。
【符号の説明】
【００２３】
１００  ヘルメット用ベルト
１  伸縮ベルト
２  ランプ本体
３  ヘッドマウント
７  カン
【図１】
2020117839.tif 000003
【図２】
2020117839.tif 000004
【図３】
2020117839.tif 000005
【図４】
2020117839.tif 000006
【図５】
2020117839.tif 000007
【図６】
2020117839.tif 000008
【図７】
2020117839.tif 000009
【図８】
2020117839.tif 000010